(57)【要約】【課題】  簡単な構成で必要かつ十分な強度を確保し、組付け等が簡便な紙製椅子を提供する。【解決手段】  座部２とこれを支持する脚部３を有する。座部２の下方に脚部３が配置されるように、一体成形された紙素材を折曲してなり、脚部３は概略筒状に折曲された一対の筒状構造体を有し、これらの筒状構造体が、別体の紙素材でなる止め具によって相互に密着結合される。脚部３は平面視で、一部の対向する外周面３ａが座部２の座面２ａ領域内側に配置されるように凹設される。脚部３における対向する外周面３ａは、筋交構造を構成するように折曲される。脚部３の下端には、座部２の角部に配設される概略鍵状の複【選択図】       図１
2005073902.tif 000002
【特許請求の範囲】
【請求項１】
座部とこれを支持する脚部を有する紙製椅子であって、
前記座部の下方に前記脚部が配置されるように、一体成形された紙素材を折曲してなり、前記脚部は概略筒状に折曲された一対の筒状構造体を有し、これらの筒状構造体が別体の紙素材でなる止め具によって相互に密着結合されることを特徴とする紙製椅子。
【請求項２】
前記脚部は平面視で、一部の対向する外周面が前記座部の座面領域内側に配置されるように凹設されることを特徴とする請求項１に記載の紙製椅子。
【請求項３】
前記脚部における対向する前記外周面は、筋交構造を構成するように折曲されることを特徴とする請求項２に記載の紙製椅子。
【請求項４】
前記脚部の下端に、前記座部の角部に配設される概略鍵状の複数の足部を有し、これらの鍵状足部を介して接地することを特徴とする請求項１〜３のいずれか１項に記載の紙製椅子。
【発明の詳細な説明】
【技術分野】
【０００１】
本発明は紙製品、典型的には段ボール素材により構成される紙製椅子に関するものである。
【背景技術】
【０００２】
特に段ボールは、家電製品を収納する箱類等の包装分野を始めとして、広い分野で幅広く使用されている。最近では強化段ボール等と称する段ボール素材を使って作られる家具類等が知られている。
【発明の開示】
【発明が解決しようとする課題】
【０００３】
しかしながら、この種の紙製品は多数のパーツを組合せて結合し、組付けに際して接着剤や専用の金具等が使用される。このため製造に手間がかかる上、コストが高くなる等の問題がある。また、紙製品であることから強度を確保するのが必ずしも容易でなく、強度を確保しようとすると部品点数が増加し、複雑な構造となってしまうのが実情であった。
【０００４】
本発明はかかる実情に鑑み、簡単な構成で必要かつ十分な強度を確保し、組付け等が簡便な紙製椅子を提供することを目的とする。
【課題を解決するための手段】
【０００５】
本発明の紙製椅子は、座部とこれを支持する脚部を有する紙製椅子であって、前記座部の下方に前記脚部が配置されるように、一体成形された紙素材を折曲してなり、前記脚部は概略筒状に折曲された一対の筒状構造体を有し、これらの筒状構造体が、別体の紙素材でなる止め具によって相互に密着結合されることを特徴とする。
【０００６】
また、本発明の紙製椅子において、前記脚部は平面視で、一部の対向する外周面が前記座部の座面領域内側に配置されるように凹設されることを特徴とする。
【０００７】
また、本発明の紙製椅子において、前記脚部における対向する前記外周面は、筋交構造を構成するように折曲されることを特徴とする。
【０００８】
また、本発明の紙製椅子において、前記脚部の下端には、前記座部の角部に配設される概略鍵状の複数の足部を有し、これらの鍵状足部を介して接地することを特徴とする。
【発明の効果】
【０００９】
本発明によれば、一体成形された紙素材を基本的には折曲するだけで、座部とこれを支持する脚部が形成される。このように少数のパーツで構成され、接着剤等を使用しないため製造に手間がかからず、低コスト化を実現する。この場合、特に脚部の配置構成を工夫することで、紙製でありながら高い強度を確保することが可能となる。
【発明を実施するための最良の形態】
【００１０】
以下、本発明による紙製椅子の好適な実施の形態について、添付図面に基づいて詳細に説明する。
図１は、この実施形態における紙製椅子１を示している。紙製椅子１は、座部２とこれを支持する脚部３を有する。この例では座部２は矩形（正方形等）の平坦な座面２ａを有し、その下側で脚部３によって支えられるようになっている。
【００１１】
図２は、紙製椅子１を形成するための段ボール素材の展開状態を示している。この段ボール素材は、たとえば２層構造を有する強化段ボールを用いて、紙製椅子１を形成すべく図示例のように形成されている。座部２と脚部３からなる椅子本体を形成するための段ボール素材１０と、別体の止め具４を形成するための段ボール素材２０を含み、プレス加工あるいは切削加工等によりかかる形態に形成することができる。
【００１２】
段ボール素材１０は、座部１を形成するための部分（以下、単に座部という）１１と、脚部３を形成するための部分（以下、単に脚部という）１２を含む。この場合、脚部１２は座部１１の両側に設けられる。座部１１の一辺側には、折り目１３ａを介して第１および第２脚部１２Ａ，１２Ｂが付設される。第１および第２脚部１２Ａ，１２Ｂにはそれぞれ、紙製椅子１の角部を形成するように折り目１３ｂ，１３ｃが刻設される。第１および第２脚部１２Ａ，１２Ｂの外側には、折り目１３ｄ，１３ｅを介して突当て片１４，１５が延設される。
【００１３】
上記の場合、折り目１３ａ〜１３ｅはそれらに沿って段ボール素材を折曲する際、折曲し易くかつ必要な結合強度を維持するように浅い切込み等を設けてもよい。また、突当て片１４，１５の端部には、相互にぴったりと整合して突き合わさるように形成された突当て部１４ａ，１５ａを有する。突当て部１４ａ，１５ａは曲線状、好適には略Ｓ字状に形成される。第１および第２脚部１２Ａ，１２Ｂの座部１１とは反対側の端部にはアーチ状もしくは半アーチ状の切欠き１６を有する。さらに、折り目１３ｄ，１３ｅに沿って突当て片１４，１５側領域には止め具４との係合溝１７が形成されている。係合溝１７から折り目１３ｄ，１３ｅ方向に適度に離隔して、小窓１８が開設される。なお、第１および第２脚部１２Ａ，１２Ｂの座部１１寄りには、折り目１３ｂ，１３ｃの両側に小孔１９が穿設される。
【００１４】
座部１１の前述した一辺側と対向する他辺側には、同様に折り目１３ａを介して第３および第４脚部１２Ｃ，１２Ｄが付設される。第３および第４脚部１２Ｃ，１２Ｄの基本構成は、実質的に第１および第２脚部１２Ａ，１２Ｂと同様であり、それらの同一または対応する部材には同一の符号を付すものとする。
【００１５】
この場合、突当て片１４，１５の突当て部１４ａ，１５ａについては、後述するように一辺側の突当て片１４，１５と他辺側の突当て片１４，１５を密着させた際、両者の突当て部１４ａ，１５ａが同一の配置関係となって重ならないように、すなわち一方の突当て部１４ａ，１５ａがＳ字状に配置された場合、他方の突当て部１４ａ，１５ａが逆Ｓ字状に配置されるように形成される。
【００１６】
止め具４を形成するための段ボール素材２０は、図２（ｂ）のように概略短冊状に形成される。そして、２つの折り目２１ａ，２１ｂに沿って折曲することでコ字状を呈するようになっており、そのコ字両側の部分には長手方向に形成されたスリット２２を有する。このスリット２２は、脚部１２に設けた係合溝１７と係合するようになっている。各スリット２２の途中適所には、脚部１２に設けた小窓１８に係合する小突起２３が形成されている。
つぎに、段ボール素材１０および段ボール素材２０を用いて紙製椅子１を組み立てる例を説明する。
【００１７】
段ボール素材１０により椅子本体を形成する場合、たとえばまず折り目１３ｂ，１３ｃに沿って第１および第２脚部１２Ａ，１２Ｂを折曲（谷折または山折）し、続いて折り目１３ｄ，１３ｅに沿って突当て片１４，１５を折曲する。これにより図３のように第１および第２脚部１２Ａ，１２Ｂでなる概略筒状の筒状構造体が構成される。なお、予め折り目１３ｂ，１３ｃ等が付されているため、これらの折曲作業を容易かつ適正に行なうことができる。
【００１８】
突当て片１４，１５の突当て部１４ａ，１５ａを相互に突き当てることで、筒状構造体は閉断面を有するが、その断面形状は概略矩形である。この実施形態では突当て片１４，１５の合計幅２ｗ1（図２（ａ）参照）が、座部１１の一辺側の幅ｗ2よりも適度に短くなるように設定される。つまり筒状構造体の断面形状は厳密には、上底側が下底側よりも僅かに短い台形となっている。
【００１９】
さらに、座部１１の他辺側の第３および第４脚部１２Ｃ，１２Ｄについても、一辺側の場合と同様に折り目１３ｂ，１３ｃおよび折り目１３ｄ，１３ｅに沿って順次折曲する。これにより他辺側においても図３のように第３および第４脚部１２Ｃ，１２Ｄでなる概略筒状の筒状構造体が構成される。このように座部１１の一辺側と他辺側とで一対の筒状構造体が構成される。
【００２０】
つぎに、図４に示されるようにたとえばまず、座部１１の一辺側の筒状構造体を折り目１３ａに沿って座部１１に当るまで、すなわち９０°折曲する。続いて同様に他辺側の筒状構造体を折曲し、これにより一対の筒状構造体が座部１１上（座面２ａの裏側）に立設するかたちで並置される（図５参照）。この場合、図６（ａ）に示すように一方の筒状構造体側の突当て部１４ａ，１５ａがＳ字状に配置されるとともに、他方の突当て部１４ａ，１５ａが逆Ｓ字状に配置される。突当て部１４ａ，１５ａの配置関係をこのように設定することで、一対の筒状構造体間で突当て片１４，１５が相手側に張り出す、もしくは突出するのを規制し合い、各筒状構造体の突当て片１４，１５が面一化した状態で適正に密着する。なお、上述したように折り目１３ａ〜１３ｅに沿って折曲して椅子本体を組み立てる場合、各折り目を折曲する順序は、必要に応じて変更可能である。
【００２１】
つぎに、図５に示されるようにコ字状を呈するように折曲されている止め具４を椅子本体に装着する。すなわち、この場合スリット２２を、一対の筒状構造体間で相互に密着している突当て片１４，１５を両側から挟むかたちで係合溝１７（図２参照）と係合させるとともに、各スリット２２の小突起２３が小窓１８に係合するようにする。これにより、上述のように並置された一対の筒状構造体が、止め具４によって相互に密着結合し、図１のように座部２とこれを支持する脚部３を有する紙製椅子１が組み立てられる。
【００２２】
上記のように構成された本発明の紙製椅子１において、座部１１と脚部１２が一体成形された段ボール素材１０と段ボール素材２０からなる２つのパーツのみを用い、接着剤等を全く使用することなく基本的には簡単な折曲工程により形成される。このように構成パーツが極めて少なく簡素な構成であるため、組立が容易で手間がかからない。紙素材を使用するため軽量であり、実使用において取扱性に優れた椅子を実現することができる。
【００２３】
構成パーツが２つと最少化を図り、２つのパーツの結合箇所数が極限まで低減されているため、結合もしくは組合せ部位に発生し易い緩みに起因する強度低下を防止し、極めて高い強度を確保することができる。すなわち特に、第１〜第４脚部１２Ａ〜１２Ｄでなる一対の相互に密着する筒状構造体によれば、１枚の板状紙素材を筒状にして２つ折りにした所謂、壁構造が実現される。この構造はたとえば建築技術等で用いられるものと実質的に同等のものであり、歪みやネジレ等の発生を有効に抑制することができる。
【００２４】
また、前述したように筒状構造体は、この実施形態では典型的には台形となっているため、図１（ｂ）にも示されるように脚部３は、一部の対向する外周面３ａが座部２の座面２ａ領域内側に配置される。このように一部の外周面３ａを座部２に対して凹設することにより、座部２の脱落を防いで、座部２に着座した使用者からの載荷重（たとえば特に図１のＺ方向）を脚部３で確実に受けることができる。この場合、座部２から凹設された外周面３ａは内側に傾斜配置されることから、対向する側との間で筋交５（２点鎖線参照）と同等の効果を奏し、座部２からの荷重を脚部３の断面に確実に伝達するとともに耐荷重を大幅に向上させる。
【００２５】
また、一対の筒状構造体が一体化する結合構造において、内部で相互に密着している突当て片１４，１５はその一体化構造を完結させるためのジョイントとして機能し、脚部３の４方向（たとえば特に図１のＸ，Ｙ方向）への外開きを防止する。この場合、板の目方向については椅子本体のロック（締付）効果を向上させる。
【００２６】
また、本発明の紙製椅子１において脚部３の下端には、座部２の角部に配設される概略鍵状の複数の足部を有し、これらの鍵状足部を介して接地する。すなわち、脚部３をアーチ状に切り欠くことで、図６（ｂ）に示されるように第１〜第４脚部１２Ａ〜１２Ｄには各々、鍵状の足部６が形成される。脚部３の下端全域（もしくは全周）で接地するのではなく、複数（この例では４つ）の足部６で接地するようにしたことで、載荷重を脚部３の鍵状足部６へ確実に伝達することともに、床等の所謂、不陸（凹凸）に起因する着座時のガタツキを防止し、安定性を確保することができる。さらに、各足部６は鍵状であるため、単なる１枚構造ではなく立体的に構成されていることで高い剛性強度を有しおり、荷重を受けた際に座屈等を起こす心配がなく、極めて高い安全性を有する。
【００２７】
前述したように筒状構造体同士の密着部位である突当て片１４，１５は、互いに逆の配置関係となるＳ字状の突当て部１４ａ，１５ａを有する。このため組立の際のひっかかりを防ぐとともに、密着相手側と噛合うことがなく、組立作業を円滑化する。また、突当て部１４ａ，１５ａに対して付与された荷重を受ける場合、Ｓ字に沿った長い経路でその荷重を分散させて受け持つことができ、この点でも耐荷重を向上させることができる。
【００２８】
ここで、実使用に際して、座部２に着座するときに使用する座布団の掛紐を留めるために小孔１９を利用することができる。
あるいはまた、図７に示すように脚部３のたとえば外周面３ａ側の小孔１９に挿通する連結用の紙管１００を使用し、複数の紙製椅子１を連設するかたちで配設することができる。
【００２９】
なお、本発明の好適な実施形態を説明したが、本発明は上述した実施形態にのみ限定されるものではなく、必要に応じて適宜変更等が可能である。
たとえば、段ボール素材１０および段ボール素材２０の２つの構成パーツの例を説明したが、必要に応じて増やすことも可能である。また、筒状構造体の断面形状は台形以外でもよく、たとえば三角形、その他の多角形にすることもできる。さらに、突当て片１４，１５の突当て部１４ａ，１５ａの形状は、Ｓ字状の他にたとえば円弧状等の適宜の曲線とすることができる。
【図面の簡単な説明】
【００３０】
【図１】本発明の実施形態に係る紙製椅子を示す斜視図および底面図である。
【図２】本発明の実施形態における段ボール素材の例を示す平面図である。
【図３】本発明の実施形態に係る紙製椅子の組立工程を示す斜視図である。
【図４】本発明の実施形態に係る紙製椅子の組立工程を示す斜視図である。
【図５】本発明の実施形態に係る紙製椅子の組立工程を示す斜視図である。
【図６】本発明の実施形態における突当て片の密着状態および脚部の鍵状足部を示すそれぞれ正面図および斜視図である。
【図７】本発明に係る紙製椅子の使用例を示す斜視図である。
【符号の説明】
【００３１】
１  紙製椅子
２  座部
３  脚部
４  止め具
６  足部
１０，２０  段ボール素材
１１  座部
１２  脚部
１３ａ〜１３ｅ  折り目
１４，１５  突当て片
１６  切欠き
１７  係合溝
２１ａ，２１ｂ  折り目
２２  スリット
【図１】
2005073902.tif 000003
【図２】
2005073902.tif 000004
【図３】
2005073902.tif 000005
【図４】
2005073902.tif 000006
【図５】
2005073902.tif 000007
【図６】
2005073902.tif 000008
【図７】
2005073902.tif 000009